(57)【要約】【課題】水道メータの取り付け、取り外しの作業を簡単に行なえるようにするとともに、水道メータユニットの設置スペースを小さくする。【解決手段】側面３Ｒ、４Ｌに通水口１５が開口したブロック３、４と、側面３Ｒ、４Ｌを対向させてブロック３、４を固定するメータベース１と、水密面８Ｌ、８Ｒに出入口２０、２１を有し、空間１７に嵌入されて出入口２０、２１を通水口１５に連通させる水道メータ８と、ブロック３、４の天面３Ｔ、４Ｔにボルト２９で締め付けられて水道メータ８を空間１７の奥に押圧する押さえ板１２とを水道メータユニットに設け、その押さえ板１２の押圧により水道メータ８の水密面８Ｌ、８Ｒをブロック３、４の側面３Ｒ、４Ｌに密着させるようにした。【選択図】図２
2006267001.tif 000002
【特許請求の範囲】
【請求項１】
傾斜した側面に通水口が開口した複数のブロックと、前記傾斜した側面を対向させて前記複数のブロックを固定するメータベースと、前記ブロックの側面に対応して傾斜する水密面に出入口を有し、隣り合う前記ブロックの側面の間に形成される奥狭まりの空間に嵌入されて前記出入口を前記通水口に連通させる水道メータと、前記ブロックの天面にねじ部品で締め付けられて前記水道メータを前記空間の奥に押圧する押さえ板とを有し、その押さえ板の押圧により前記水道メータの前記水密面を前記ブロックの前記側面に密着させた水道メータユニット。
【請求項２】
前記ブロックの側面に対応して傾斜する水密面に出入口を有し、前記隣り合うブロックの側面の間に形成される奥狭まりの空間に嵌入されて前記出入口を前記通水口に連通させる止水栓、開閉防止形止水栓、逆止弁等の機器と、前記ブロックの天面にねじ部品で締め付けられて前記機器を前記空間の奥に押圧する押さえ板とを有し、その押さえ板の押圧により前記機器の前記水密面を前記ブロックの前記側面に密着させた請求項１に記載の水道メータユニット。
【請求項３】
前記メータベースが断面Ｕ状の溝形部材からなり、その溝形部材の内底面に前記ブロックを溝形部材の長手方向に直列に配置した請求項１または２に記載の水道メータユニット。
【請求項４】
前記押さえ板で隣り合う前記ブロックの天面同士をつないだ請求項１から３のいずれかに記載の水道メータユニット。
【発明の詳細な説明】
【技術分野】
【０００１】
この発明は、水道メータの取り付け作業および取り外し作業を容易化した水道メータユニットに関する。
【背景技術】
【０００２】
上水道に設置される水道メータは、一般的に止水栓や逆止弁などのバルブと接続されてユニット化した状態で水道メータボックスに収納される。この水道メータは、計量法に基づいて一定期間ごとに交換することが義務付けられており、多数の水道メータが連日交換されている。したがって、水道メータの交換作業を容易化することは重要である。
【０００３】
ここで水道メータとバルブの接続は、下記特許文献１に示すように、出入口が開口した水道メータの端面を、通水口が開口したバルブの端面に突き合わせ、その端面同士をユニオンナット等のジョイントで締結して行なわれることが多い。
【０００４】
しかし、このように水道メータとバルブの接続をジョイントでおこなうと、水道メータとバルブを収納する水道メータボックス内部が狭いので、ジョイントの操作がしにくい。また、このジョイントを緩めても水道メータユニットの両端に余裕がないので、水道メータの出し入れがしづらい。このように、従来の水道メータユニットは作業上の問題があった。
【０００５】
また、マンションやアパート等の集合住宅では、設置スペースが限られているのでコンパクトな水道メータユニットが求められる。しかし、この従来の水道メータユニットは、水道メータとバルブの間にジョイントを操作するスペースが必要なので、水道メータとバルブの設置間隔が広く、設置スペースが大きかった。
【０００６】
【特許文献１】特開２０００−１４４８１９号公報
【発明の開示】
【発明が解決しようとする課題】
【０００７】
この発明は、水道メータの取り付け、取り外しの作業を簡単に行なえるようにするとともに、水道メータユニットの設置スペースを小さくすることを課題とする。
【課題を解決するための手段】
【０００８】
上記の課題を解決するために、傾斜した側面を対向させて複数のブロックをメータベースに固定し、隣り合うそのブロックの側面の間に形成される奥狭まりの空間に水道メータを嵌入し、その水道メータを、ブロックの天面のねじ部品で締め付ける押さえ板で押圧して固定したのである。この水道メータユニットは、ブロックの天面のねじ部品の操作によって水道メータの固定およびその解除を行なう。
【０００９】
この発明においてねじ部品とは、ボルト、小ねじ、ナットなどの部品をいう。
【００１０】
この水道メータユニットは次の構成を加えるとより好ましいものとなる。
１）前記水道メータと同様の構成の止水栓、開閉防止形止水栓、逆止弁等の機器を更に設ける。すなわち、前記ブロックの側面に対応して傾斜する水密面に出入口を有し、前記隣り合うブロックの側面の間に形成される奥狭まりの空間に嵌入されて前記出入口を前記通水口に連通させる止水栓等の機器と、前記ブロックの天面にねじ部品で締め付けられて前記機器を前記空間の奥に押圧する押さえ板とを設け、その押さえ板の押圧により前記機器の前記水密面を前記ブロックの前記側面に密着させる。このようにすると、止水栓等の機器も、ブロックの天面のねじ部品の操作によって固定およびその解除を行なうことができる。
２）前記メータベースを断面Ｕ状の溝形部材で構成し、その溝形部材の内底面に前記ブロックを長手方向に直列に配置する。このようにすると、メータベースがたわみにくくなるので、水道メータを流れる水の圧力によってメータベースの両隣のブロックを互いに離反する力が作用しても、水道メータの水密面とブロックの側面との密着状態が確実に保持される。
３）前記押さえ板で隣り合う前記ブロックの天面同士をつなぐ。このようにすると、隣り合うブロックの相対位置がメータベースと押さえ板の両方で強固に保持されるので、水道メータの水密面とブロックの側面との密着状態がより確実に保持される。
【発明の効果】
【００１１】
この水道メータユニットは、ブロックの天面にあるねじ部品をブロックの天面側から操作して水道メータの固定およびその解除を行なうので、水道メータボックスに収納したときにも水道メータの取り付け作業および取り外し作業が簡単である。また、水道メータと隣の機器とを接続するジョイントが不要なので、水道メータと隣の機器との設置間隔を狭めて設置スペースを小さくすることができる。
【発明を実施するための最良の形態】
【００１２】
図１（ａ）に、この発明の水道メータユニットの実施形態を示す。この水道メータユニットは、メータベース１と、メータベース１に固定されるブロック２〜６と、隣り合うブロックの間に嵌入される止水栓７、水道メータ８、開閉防止形止水栓９、逆止弁１０と、これらの機器を押圧する押さえ板１１〜１４とからなる。
【００１３】
メータベース１は、図１（ｂ）に示すように断面Ｕ状の溝形部材からなり、その溝形部材の内底面には、ブロック２〜６が、図２に示すようにメータベース１の長手方向に直列に配置されて固定されている。
【００１４】
互いに向き合うブロック３の側面３Ｒとブロック４の側面４Ｌは相反する向きに傾斜しており、その間に奥狭まりの空間１７を形成している。また、側面３Ｒと側面４Ｌにはそれぞれ通水口１５が開口している。
【００１５】
同様に、互いに向き合うブロック２の側面２Ｒとブロック３の側面３Ｌ、ブロック４の側面４Ｒとブロック５の側面５Ｌ、ブロック５の側面５Ｒとブロック６の側面６Ｌも、それぞれ傾斜しており、その間に奥狭まりの空間１６、１８、１９を形成している。また、通水口１５が各側面２Ｒ、３Ｌ、４Ｒ、５Ｌ、５Ｒ、６Ｌに開口している。
【００１６】
ブロック３と４の間の空間１７には、水道メータ８が嵌入される。水道メータ８には、ブロック３の側面３Ｒに対応して傾斜した水密面８Ｌが形成されており、この水密面８Ｌが側面３Ｒと合わさるようになっている。また、水密面８Ｌには水道メータ８の入口２０が開口しており、この入口２０がブロック３の側面３Ｒに開口した通水口１５と連通する。
【００１７】
また、水道メータ８には、ブロック４の側面４Ｌに対応して傾斜した水密面８Ｒが形成されており、この水密面８Ｒが側面４Ｌと合わさる。水密面８Ｒには水道メータ８の出口２１が開口しており、この出口２１がブロック４の側面４Ｌに開口した通水口１５と連通する。
【００１８】
水密面８Ｌ、８Ｒにはリング状のパッキン２２が取り付けられており、このパッキン２２で水道メータ８とブロック３の間の水密状態、および水道メータ８とブロック４の間の水密状態を確保している。
【００１９】
同様に、隣り合うブロックの間の空間１６、１８、１９にも止水栓７、開閉防止形止水栓９、逆止弁１０がそれぞれ嵌入される。これらの機器にも、各ブロックの側面２Ｒ、３Ｌ、４Ｒ、５Ｌ、５Ｒ、６Ｌに対応して傾斜した水密面７Ｌ、７Ｒ、９Ｌ、９Ｒ、１０Ｌ、１０Ｒが形成されており、各側面２Ｒ、３Ｌ、４Ｒ、５Ｌ、５Ｒ、６Ｌの通水口１５に連通する出入口２３〜２８が対応する水密面に開口している。また、各水密面にはリング状のパッキン２２が取り付けられている。
【００２０】
押さえ板１２は、隣り合うブロック３、４の天面３Ｔ、４Ｔにボルト２９で締結されており、このボルト２９の締め付けによって水道メータ８が空間１７の奥に押圧されるようになっている。押さえ板１２に押圧された水道メータ８は、楔作用によって水密面８Ｌ、８Ｒをブロックの側面３Ｒ、４Ｌに密着させ、図３に示すように固定された状態となる。
【００２１】
同様に、止水栓７、開閉防止形止水栓９、逆止弁１０も、ボルト２９でブロックの天面２Ｔ、３Ｔ、４Ｔ、５Ｔ、６Ｔに締め付けられて空間１６、１８、１９の奥に押圧され、その押圧により生じる楔作用によって水密面７Ｌ、７Ｒ、９Ｌ、９Ｒ、１０Ｌ、１０Ｒをブロックの側面２Ｒ、３Ｌ、４Ｒ、５Ｌ、５Ｒ、６Ｌに密着させている。
【００２２】
この水道メータユニットは、ブロック３、４の天面３Ｔ、４Ｔにあるボルト２９を天面側から回動操作することにより、水道メータ８の固定およびその解除を行なうことができる。しかも、ブロックの側面３Ｒ、４Ｌを傾斜させて空間１７を奥狭まりに形成しているので、水道メータ８を空間１７から円滑に出し入れすることができる。したがって、この水道メータユニットは、水道メータボックスに収納した状態においても水道メータ８の取り付け作業および取り外し作業が簡単である。同様に、止水栓７、開閉防止形止水栓９、逆止弁１０も、簡単に取り付けおよび取り外しをすることができる。
【００２３】
また、止水栓７、水道メータ８、開閉防止形止水栓９、逆止弁１０を互いに接続するジョイントがないので、止水栓７、水道メータ８、開閉防止形止水栓９、逆止弁１０の設置間隔を狭めて設置スペースを小さくすることができる。そのため、この水道メータユニットは、スペースが限られたマンションやアパート等の集合住宅にも確実に設置することができる。
【００２４】
さらに、メータベース１を断面Ｕ状の溝形部材で構成したので、メータベース１がたわみにくい。そのため、水道メータユニットを流れる水の圧力によって隣り合うブロックを互いに離反する力が作用しても、各機器の水密面７Ｌ、７Ｒ、８Ｌ、８Ｒ、９Ｌ、９Ｒ、１０Ｌ、１０Ｒと、対応する各ブロックの側面２Ｒ、３Ｌ、３Ｒ、４Ｌ、４Ｒ、５Ｌ、５Ｒ、６Ｌとの密着状態が確実に保持され、水が漏れない。
【００２５】
さらに、押さえ板１１〜１４で隣り合うブロックの天面をつないだので、ブロック２〜６の相対位置がメータベース１と押さえ板１１〜１４の両方によって強固に保持される。そのため、各機器の水密面７Ｌ、７Ｒ、８Ｌ、８Ｒ、９Ｌ、９Ｒ、１０Ｌ、１０Ｒと、対応する各ブロックの側面２Ｒ、３Ｌ、３Ｒ、４Ｌ、４Ｒ、５Ｌ、５Ｒ、６Ｌとの密着状態がより確実に保持され、水漏れ防止の効果が高い。この実施例では、押さえ板を水道メータ等の機器個別に分割したものとしたが、押さえ板を一体化しても構わない。
【００２６】
ブロック２〜６は、図ではメータベース１の外底面からねじ込まれるボルト３０の締め付けによりメータベース１の内底面に固定し、これによりブロック２〜６の設置間隔の調節を容易にしているが、たとえばメータベース１の内底面に溶接して固定してもよく、またメータベース１の内側面に固定してもよい。要は、ブロックがメータベースに対して固定されていればよい。
【００２７】
水道メータ８の水密面８Ｌ、８Ｒは、図では既存の水道メータの接続ねじにアダプタ３１Ｌ、３１Ｒを取り付けて、そのアダプタ３１Ｌ、３１Ｒの端面で水密面８Ｌ、８Ｒを構成して既存の水道メータを流用しているが、水密面８Ｌ、８Ｒを水道メータ本体と一体に形成してもよい。水密面８Ｌ、８Ｒを一体に形成すると、ブロック３、４の設置間隔を狭めて水道メータユニットを更にコンパクトにすることができる。
【００２８】
上記実施形態では、隣り合うブロックの対向する側面をいずれも傾斜させているが、一方の側面のみが傾斜していてもよく、一方の斜面が他方の斜面に対して傾斜していればよい。
【００２９】
上記実施形態では、メータベース１として断面Ｕ状の溝形部材を用いてメータベースの強度を向上させるとともに各機器７〜１０の位置決めを容易化しているが、たとえば平坦な板状物でメータベースを構成してもよく、ブロック２〜６を固定するものであれば他の形状でもよい。
【００３０】
上記実施形態では、管路が直線状となるように止水栓７、水道メータ８、開閉防止形止水栓９、逆止弁１０を配置しているが、たとえば天面側から見て管路がコ字状となるように各機器を配置してもよい。
【００３１】
上記実施形態では、押さえ板をボルトで締め付けたが、たとえば各ブロックの天面に植え込みボルトを設け、その植え込みボルトに係合するナットで押さえ板を締め付けてもよく、また、小ねじで押さえ板を締め付けてもよい。要は、ねじ部品で押さえ板をブロックの天面に締め付けて、ブロック間に形成される空間の奥に水道メータ等の機器を押圧すればよい。また、各機器の形状は、角、丸、多角形等であっても構わない。
【００３２】
また、上記実施形態では、止水栓、水道メータ、開閉防止形止水栓および逆止弁の例を示したが、使用する機器の組合せは状況に応じて増減することも可能である。またその並べ方もこの実施例に限られず、他の並べ方でも構わない。
【図面の簡単な説明】
【００３３】
【図１】（ａ）は、この発明の水道メータユニットの実施形態を示す断面図、（ｂ）は、（ａ）のＢ−Ｂ線に沿った断面図
【図２】同上の水道メータユニットの分解断面図
【図３】同上の水道メータユニットの斜視図
【符号の説明】
【００３４】
１                      メータベース
２、３、４、５、６      ブロック
７                      止水栓
８                      水道メータ
９                      開閉防止形止水栓
１０                    逆止弁
１１、１２、１３、１４  押さえ板
１５                    通水口
１６、１７、１８、１９  空間
２０、２３、２５、２７  入口
２１、２４、２６、２８  出口
２９                    ボルト
【図１】
2006267001.tif 000003
【図２】
2006267001.tif 000004
【図３】
2006267001.tif 000005